(57)【特許請求の範囲】
【請求項１】
拡散器本体にセットされた容器体の吸上芯を加熱するヒータと、通電時に発光する発光体とを備えた拡散器において、
前記ヒータと前記発光体とを直列接続し、ツェナーダイオードに逆電圧が印加されるように該ツェナーダイオードを前記発光体に並列接続して上限電圧規制回路を構成し、
交流電源の一方を前記ヒータの一方の端子に接続するとともに、該ヒータの他方の端子と前記交流電源の他方との間にブリッジ整流回路を構成して該ブリッジ整流回路の出力に前記発光体を接続する一方、
前記ブリッジ整流回路をダイオードと前記ツェナーダイオードで構成して前記上限電圧規制回路を構成したことを特徴とする拡散器。
【発明の詳細な説明】
【技術分野】
【０００１】
本発明は、薬剤を気化して拡散させる拡散器に関する。
【背景技術】
【０００２】
従来、薬剤瓶に収容された液状薬剤を気化して放出する際には、拡散器が用いられていた（例えば、特許文献１から特許文献３）。
【０００３】
この拡散器では、拡散器本体にセットされた薬剤容器の吸上芯をヒータで加熱することによって、前記吸上芯で吸い上げられた薬剤を加熱して蒸散効率を高めるように構成されている。
【０００４】
また、前記拡散器には、電源供給時に発光するネオンランプや発光ダイオードが前記ヒータに並列接続されており、ヒータ通電時に前記ネオンランプや前記発光ダイオードが点灯するように構成されている。
【特許文献１】特開平２−２６５４２５号公報
【特許文献２】特開平８−１９６１８５号公報
【特許文献３】特開平９−０７４９７２号公報
【発明の開示】
【発明が解決しようとする課題】
【０００５】
しかしながら、このような拡散器にあっては、ヒータが切れた際に薬剤の蒸散効率が低下するが、発光ダイオードは点灯状態が維持されてしまう。
【０００６】
すると、拡散器が芳香器の場合、ユーザにおいては、薬剤容器に芳香液が残存するにも関わらず、芳香効果が低下したと思われる恐れがある。
【０００７】
本発明は、このような従来の課題に鑑みてなされたものであり、ヒータの作動と発光体の発光とを連動することができる拡散器を提供することを目的とするものである。
【課題を解決するための手段】
【０００８】
前記課題を解決するために本発明の拡散器にあっては、拡散器本体にセットされた容器体の吸上芯を加熱するヒータと、通電時に発光する発光体とを備えた拡散器において、前記ヒータと前記発光体とを直列接続し、ツェナーダイオードに逆電圧が印加されるように該ツェナーダイオードを前記発光体に並列接続して上限電圧規制回路を構成し、交流電源の一方を前記ヒータの一方の端子に接続するとともに、該ヒータの他方の端子と前記交流電源の他方との間にブリッジ整流回路を構成して該ブリッジ整流回路の出力に前記発光体を接続する一方、前記ブリッジ整流回路をダイオードと前記ツェナーダイオードで構成して前記上限電圧規制回路を構成した。
【０００９】
すなわち、吸上芯を加熱するヒータと通電時に発光する発光体とは直列接続されている。このため、使用時に前記ヒータが切れた際には、前記発光体への通電回路が遮断され、当該発光体が消灯される。
【００１０】
このとき、前記ヒータは、温度上昇に伴って電気抵抗が増大する一方、温度低下時には、電気抵抗が減少する。この電気抵抗の増大／減少を繰り返すことによって、発熱温が一定となるように構成されている。このため、前記ヒータに前記発光体を単純に直列した際には、該発光体に流れる電流は前記ヒータの電気抵抗によって変動することとなる。
【００１１】
しかし、本発明では、前記発光体にツェナーダイオードが並列接続されており、該ツェナーダイオードに逆電圧が印加されるように構成されることによって上限電圧規制回路が構成されている。
【００１２】
このため、前記ヒータの電気抵抗が減少し前記ツェナーダイオードに印加された電圧がツェナー電圧に達した際には、該ツェナーダイオードに逆方向電流が流れることによって、前記発光体の印加電圧が一定に保たれる。
【００１３】
このとき、前記ツェナーダイオードを介して逆方向電流を流すことができるため、前記ヒータでの通電量を維持することができる。
【００１５】
また、前記ヒータの下流には、ブリッジ整流回路が形成されており、該ブリッジ整流回路で整流された出力が前記発光体に印加される。このため、この発光体を、極性を有した発光ダイオードで構成することが可能となる。
【００１６】
そして、このブリッジ整流回路を、ダイオードと前記ツェナーダイオードで構成することによって、前記上限電圧規制回路が構成されている。
【００１７】
このため、当該ブリッジ整流回路からの出力電圧の上限値が前記上限電圧規制回路によって制限される。
【発明の効果】
【００１８】
以上説明したように本発明の拡散器にあっては、吸上芯を加熱するヒータと通電時に発光する発光体とを直列接続することによって、使用時に前記ヒータが切れた場合には、前記発光体への通電回路を遮断することができる。
【００１９】
このため、前記ヒータが切れ、吸上芯からの蒸散効率が低下した際には、前記発光体を消灯することで、蒸散効率が低下したことを報知することができる。
【００２０】
したがって、ヒータが切れても発光体の発光状態が継続される従来と比較して、例えば容器体に芳香液が残存するにも関わらず、芳香効果が低下したといったユーザが抱く違和感を解消することができる。
【００２１】
一方、前記ヒータは温度の昇降に伴って電気抵抗が増減し、このヒータに流れる電流は変動することとなる。このとき、前記発光体には、ツェナーダイオードが並列接続され上限電圧規制回路が構成されており、前記発光体への印加電圧は、一定電圧以下に保たれる。
【００２２】
このため、前記ヒータに流れる電流に応じて前記発光体に流れる電流が変化し、この電流変化に伴って発光体の輝度が変化する場合と比較して、発光体の輝度を安定させることができる。
【００２３】
また、前記ヒータの下流にブリッジ整流回路を形成するこによって、該ブリッジ整流回路で整流された出力を前記発光体に印加することができる。このため、この発光体を、極性を有した発光ダイオードで構成することができ、消費電力の削減や長寿命化を図ることができる。
【００２４】
そして、このブリッジ整流回路を、ダイオードと前記ツェナーダイオードで構成することによって、前記上限電圧規制回路が構成されている。
【００２５】
このため、当該ブリッジ整流回路からの出力電圧の上限値を前記上限電圧規制回路によって制限することができる。
【００２６】
また、交流電源を整流する前記ブリッジ整流回路の他に前記上限電圧規制回路を形成する場合と比較して、ダイオード等の部品点数の増加を招くこと無く、前記ブリッジ整流回路と前記上限電圧規制回路とを成立することができる。
【００２７】
また、大容量のツェナーダイオードを使用する必要が無く、ツェナーダイオードの発熱を軽減させることができる。
【発明を実施するための最良の形態】
【００２８】
以下、本発明の一実施の形態を図に従って説明する。図１は、本実施の形態にかかる拡散器としての芳香器１を示す図である。該芳香器１は、芳香器本体２にセットされた容器体としての薬剤瓶３内の液状薬剤を気化して放出する装置であり、当該芳香器１は、トイレや居住空間で使用されるものである。
【００２９】
この芳香器１の拡散器本体としての芳香器本体２は、図２にも示すように、後壁面を形成する後カバー１１と、該後カバー１１の前側に取り付けられる前カバー１２と、該前カバー１２と前記後カバー１１との間に配置される内部構成体１３とで構成されている。
【００３０】
前記後カバー１１は、光を透過しない有色の不透明な樹脂によって前方が開口した容器状に形成されており、その下部には、切欠部２１が設けられている。前記後カバー１１は、上部が断面円弧状に形成されており、その中央部には、薬剤を揮散する為の揮散穴２２が開設されている。
【００３１】
また、前記後カバー１１の上部には、内側に延出する一対の係止ピン３１，３１が前記揮散穴２２より前方側に設けられており、当該後カバー１１の側面には、前後方向に延在する上部リブ３２，３２と、支持リブとしての下部リブ３３，３３とが左右の部位に設けられている。前記下部リブ３３，３３の前端部には、リブ挿通穴３４，３４が設けられており、固定用のタッピンねじ３５，３５を挿通できるように構成されている。
【００３２】
この後カバー１１の側面上部には、図１に示したように、複数のスリット４１，・・・からなる空気取入口４２，４２が左右に形成されており、該空気取入口４２，４２から芳香器本体２内に外部の空気を取り込めるように構成されている。前記空気取入口４２，４２の各スリット４１，・・・は、断面円弧状に形成された前記後カバー１１の上部に設けられており、当該後カバー１１の下部側面に設けられた場合と比較して、当該芳香器本体２の中心寄りに配置されるように構成されている。
【００３３】
前記後カバー１１には、図２に示したように、軸部４４を介してスライド板４５が支持されており、スライド板４５は、前記軸部４４を中心に回動できるように構成されている。前記スライド板４５には、操作ノブ４６が突設されており、該操作ノブ４６は、前記後カバー１１に設けられた挿通穴４７を介して外部に延出している。
【００３４】
これにより、前記操作ノブ４６を操作して前記スライド板４５を前記軸部４４を中心に回動することによって、当該スライド板４５が前記空気取入口４２，４２を構成する各スリット４１，・・・の開口面積を可変できるように構成されている。
【００３５】
前記後カバー１１の下部には、一対の矩形穴７１が設けられており、前記内部構成体１３に設けられたコンセントプラグ７２，７２を前記矩形穴７１，７１を介して、当該後カバー１１より後方へ延出できるように構成されている。また、前記後カバー１１の下縁中央部には、係止爪７３が上方へ向けて突設されている。
【００３６】
前記内部構成体１３は、光を透過する透光性を有した半透明の樹脂で形成されており、中央部に設けられた中央板８１を中心に構成されている。該中央板８１の左右側縁部には、一般部８２より一段高い支持片としての段差面８３，８３が形成されており、当該中央板８１が補強されている。
【００３７】
該中央板８１には、上方に膨出した円形膨出部９１が形成されており、該円形膨出部９１には、その下方から前記薬剤瓶３の首部が挿入されるように構成されている。前記中央板８１の後縁には、下方に垂下する挟持板９２が設けられており、該挟持板９２と前記中央板８１に形成された前記段差面８３との間には、間隙８４，８４が形成されている。前記挟持板９２の下縁中央には、凹部９３が形成されており、該凹部９３には、前記後カバー１１に設けられた前記係止爪７３が係合するように構成されている。
【００３８】
前記挟持板９２は、前記前カバー１２の下部と対向するように構成されており、当該挟持板９２は、図１に示したように、前記前カバー１２との間に配置された前記薬剤瓶３の瓶本体９５を前記前カバー１２と共に前後から挟持できるように構成されている。これにより、前記挟持板９２と前記前カバー１２とで挟持された前記薬剤瓶３は、その首部が前記円形膨出部９１に挿入された状態で保持されるとともに、図３及び図４に示すように、前記首部より延出した吸上芯９６が前記円形膨出部９１に設けられた支持穴９７を介して上方へ延出するように構成されている。これにより、当該芳香器本体２の下部には、図１に示したように、前記薬剤瓶３が下方からセットされる下方開口状の容器保持空間９８が形成されている。
【００３９】
前記中央板８１の後縁部には、図３及び図４に示すように、矩形状の支柱１０１が前記円形膨出部９１に沿って立設されており、この支柱１０１の上端部には、ヒータ１０２が設けられている。該ヒータ１０２は、前記支柱１０１を介して設けられており、当該ヒータ１０２は、前記円形膨出部９１に設けられた前記支持穴９７の真上に配置されるように構成されている。このヒータ１０２は、その加熱部１０４が円筒状に形成されており、前記薬剤瓶３より延出した前記吸上芯９６の外周部を包囲する位置に配置されている。これにより、前記吸上芯９６で吸い上げられた薬剤を前記ヒータ１０２の円筒部１０４で加熱することで、当該薬剤の蒸散を促進するとともに、蒸散した薬剤を前記揮散穴２２を介して外部に揮散できるように構成されている。
【００４０】
前記ヒータ１０２には、電極１１１，１１１が設けられており、該電極１１１，１１１は、接続線１１２，１１２を介して制御基板１１３に接続されている。該制御基板１１３は、前記挟持板９２の裏面に沿って固定されており、当該制御基板１１３の下部には、家庭用のＡＣコンセントに差し込まれる前記コンセントプラグ７２，７２が設けられている。
【００４１】
また、この制御基板１１３には、前記ＡＣコンセントから供給された電源で発光する発光体としての左発光ダイオード１２１及び右発光ダイオード１２２が接続されており、各発光ダイオード１２１，１２２は、前記円形膨出部９１の両脇に設けられたリブ１２３，１２３に係止された状態で固定されている。これにより、前記両発光ダイオード１２１，１２２が、前記支柱１０１及び前記ヒータ１０２より前カバー１２側に配置されるように構成されている。
【００４２】
前記円形膨出部９１の側部には、サブ基板１３１が設けられており、該サブ基板１３１は、前記制御基板１１３に接続されている。該サブ基板１３１には、スイッチ１３２が設けられており、該スイッチ１３２に設けられた操作部１３３は、前記後カバー１１に設けられたスイッチ穴１３４を介して（図２参照）、当該後カバー１１の側部に突出するように構成されている。
【００４３】
前記円形膨出部９１に設けられた各リブ１２３，１２３の端部には、上下に延在する円筒部１４１，１４１が形成されており、該円筒部１４１，１４１は、前記段差面８３，８３に突設されるとともに該段差面８３，８３を貫通して下方に開口するように構成されている。これにより、前記段差面８３の下方から挿入された固定用のタッピンねじ３５，３５を前記円筒部１４１，１４１に螺入できるように構成されている。
【００４４】
前記前カバー１２は、図２及び図５に示したように、前記内部構成体１３と同様に光を透過する透光性を有した半透明の樹脂で形成されており、該前カバー１２は、縦長の楕円形状に形成されている。この前カバー１２の前面は、緩やかに湾曲した凹凸の無い平坦面で構成されており、その周縁部には、凸条部１５１が全周に渡って形成されている。これにより、この凸条部１５１の内側は、フィルム等の貼着物を貼着可能な貼着面１５２を構成している。
【００４５】
前記前カバー１２の上部には、後方に延出した上部支持片１６１，１６１が設けられており、両上部支持片１６１，１６１には、係止穴１６２，１６２が設けられている。この上部支持片１６１，１６１の前記係止穴１６２，１６２には、前記後カバー１１に突設された前記係止ピン３１，３１が挿入された状態で係止されるよう構成されており（図２参照）、当該前カバー１２の上部を前記後カバー１１に固定できるように構成されている。
【００４６】
この前カバー１２の下部中央には、突出部１７１が突設されており、該突出部１７１は、前記薬剤瓶３の前記瓶本体９５に設けられた凸部１７２を下方から支持し（図３参照）、当該薬剤瓶３の不用意な離脱を防止できるように構成されている。前記突出部１７１の両脇には、図５に示したように、前記後カバー１１側へ向けて延出する延出片１７３，１７３が設けられており、両延出片１７３，１７３は、断面Ｌ字状に形成されている。各延出片１７３，１７３には、円形の延出片挿通穴１７４，１７４が設けられており、固定用のタッピンねじ３５，３５を挿通できるように構成されている。
【００４７】
そして、図６に示すように、前記後カバー１１に設けられた前記下部リブ３３，３３上に、前記前カバー１２に設けられた前記延出片１７３，１７３を載置した状態で支持できるように構成されており、前記前カバー１２に設けられた前記延出片１７３，１７３上には、前記内部構成体１３に設けられた前記段差面８３，８３を載置した状態で支持できるように構成されている。
【００４８】
これにより、前記後カバー１１の前記下部リブ３３，３３に設けられた前記リブ挿通挿通穴３４，３４及び前記前カバー１２の前記延出片１７３，１７３に設けられた前記延出片挿通穴１７４，１７４を挿通するタッピンねじ３５，３５を、前記内部構成体１３の前記段差面８３，８３に突設された円筒部１４１，１４１に螺入して、前記後カバー１１の前記下部リブ３３，３３と前記内部構成体１３の前記段差面８３，８３との間に前記前カバー１２の前記延出片１７３，１７３を挟持した状態で、前記後カバー１１と前記内部構成体１３と前記前カバー１２とを固定できるように構成されている。
【００４９】
この固定状態において、前記後カバー１１と前記前カバー１２と前記内部構成体１３とを固定する固定位置１９１は、前記各発光ダイオード１２１，１２２の下部であって、各発光ダイオード１２１，１２２の発光面より前記後カバー１１側に設定されている。また、前記内部構成体１３に設けられた前記各発光ダイオード１２１，１２２から前記前カバー１２までの間は、空き空間１９２となるように構成されている。
【００５０】
図７は、前記制御基板１１３及び前記サブ基板１３１に構成された電子回路を示す回路図であり、前記ＡＣコンセントに接続される一方のコンセントプラグ７２ａには、入力抵抗３０１を介して前記ヒータ１０２の一方の端子を構成する電極１１１ａが接続されている。
【００５１】
ここで、前記ヒータ１０２は、ＰＴＣサーミスタ（Ｐｏｓｉｔｉｖｅ  Ｔｅｍｐｅｒａｔｕｒｅ  Ｃｏｅｆｆｉｃｉｅｎｔ  Ｔｈｅｒｍｉｓｔｏｒ：正温度係数サーミスタ）によって構成されており、該ＰＴＣサーミスタは、所定の温度から電気抵抗が急激に増加するキュリー温度（抵抗急変温度）を有している。
【００５２】
図８は、前記ヒータ１０２の表面温度４０１と当該ヒータ１０２に流れる電流４０２との関係を示す図であり、前記ヒータ１０２への通電を開始してからヒータ１０２の表面温度が前記キュリー温度まで上昇すると、当該ヒータ１０２の電気抵抗が急激に増大することによって流入電流が制限され、表面温度の上昇を抑えるように構成されている。これにより、前記ヒータ１０２は、前記電気抵抗の増減を繰り返すことによって、外部温度に依存されること無く、表面温度が一定となるように構成されている。
【００５３】
そして、図７に示したように、このヒータ１０２の他方の端子を構成する電極１１１ｂと、前記ＡＣコンセントに接続される他方のコンセントプラグ７２ｂとの間には、ブリッジ整流回路３１１が形成されており、前記ＡＣコンセントから供給される交流電源は、前記ブリッジ整流回路３１１によって全波整流されるように構成されている。
【００５４】
このブリッジ整流回路３１１の＋出力３２１には、制限抵抗３２２を介して前記右発光ダイオード１２２とバイパス抵抗３２３とが接続されており、前記バイパス抵抗３２３は、コネクタ３２４，３２５を介して前記サブ基板１３１の前記スイッチ１３２の「Ｌ」端子３２６に接続されている。
【００５５】
前記右発光ダイオード１２２は、前記コネクタ３２４，３２５を介して前記サブ基板１３１に設けられた前記左発光ダイオード１２１に接続されており、該左発光ダイオード１２１は、前記スイッチ１３２のコモン端子３３１に接続されるとともに、前記コネクタ３２４，３２５を介して前記制御基板１１３の裏面に設けられた裏発光ダイオード３３２に接続されている。そして、この裏発光ダイオード３３２は、前記ブリッジ整流回路３１１の−出力３３３に接続されている。
【００５６】
これにより、前記スイッチ１３２を「Ｈ」側に切り替え操作した際には、前記ブリッジ整流回路３１１の＋出力３２１と−出力３３３との間に、前記制限抵抗３２２と前記右発光ダイオード１２２と前記左発光ダイオード１２１と前記裏発光ダイオード３３２とが直列に接続されるように構成されており、前記ブリッジ整流回路３１１から供給される直流電流によって前記各発光ダイオード１２１，１２２，３３２が点灯するように構成されている。このとき、前記交流電源の一方は、前記ヒータ１０２を介して前記ブリッジ整流回路３１１に入力されるように構成されており、前記ヒータ１０２と前記各発光ダイオード１２１，１２２，３３２とは、前記ブリッジ整流回路３１１を介して直列接続されている。
【００５７】
また、前記スイッチ１３２を「Ｌ」側に切り替え操作した際には、直列接続された前記右発光ダイオード１２２と前記左発光ダイオード１２１とに前記バイパス抵抗３２３が並列接続されるように構成されており、前記ブリッジ整流回路３１１からの電流が前記バイパス抵抗３２３側を流れることによって、前記右発光ダイオード１２２と前記左発光ダイオード１２１とが消灯し、前記裏発光ダイオード３３２のみが点灯するように構成されている。
【００５８】
前記ブリッジ整流回路３１１は、ダイオードブリッジによって構成されており、交流電源を全波整流して直流電源を供給する構成されている。
【００５９】
具体的に説明すると、前記ヒータ１０２の他方の電極１１１ｂには、第１整流ダイオード３４１のアノードが接続されており、該第１整流ダイオード３４１のカソードは、前記＋出力３２１を構成している。また、前記ヒータ１０２の他方の電極１１１ｂには、第１ツェナーダイオード３４２のカソードが接続されており、該第１ツェナーダイオード３４２のアノードは、前記−出力３３３を構成している。
【００６０】
前記ＡＣコンセントに接続される他方のコンセントプラグ７２ｂには、第２整流ダイオード３５１のアノードが接続されており、該第２整流ダイオード３５１のカソードは、前記＋出力３２１に接続されている。また、前記他方のコンセントプラグ７２ｂには、第２ツェナーダイオード３５２のカソードが接続されており、該第２ツェナーダイオード３５２のアノードは、前記−出力３３３に接続されている。
【００６１】
そして、前記スイッチ１３２を「Ｈ」側に切り替え操作した状態において、前記一方のコンセントプラグ７２ａが正極の場合には、該一方のコンセントプラグ７２ａから前記入力抵抗３０１と前記ヒータ１０２と前記第１整流ダイオード３４１と前記制限抵抗３２２と前記各発光ダイオード１２１，１２２，３３２と前記第２ツェナーダイオード３５２との順に電圧が降下するように構成されており、前記ヒータ１０２の他方の電極１１１ｂと前記−出力３３３とに生じる電圧が、前記第１ツェナーダイオード３４２に対して逆バイアスとして印加されるように構成されている。また、この第１ツェナーダイオード３４２は、前記第１整流ダイオード３４１と前記制限抵抗３２２と前記各発光ダイオード１２１，１２２，３３２とが直列接続されてなる第１直列回路に並列接続されており、該第１直列回路に印加される電圧の上限値を前記第１ツェナーダイオード３４２によるツェナー電圧によって規制する上限電圧規制回路３５３を形成している。
【００６２】
また、前記他方のコンセントプラグ７２ｂが正極の場合には、該他方のコンセントプラグ７２ｂから前記第２整流ダイオード３５１と前記制限抵抗３２２と前記各発光ダイオード１２１，１２２，３３２と前記第１ツェナーダイオード３４２と前記ヒータ１０２と前記入力抵抗３０１の順に電圧が降下するように構成されており、前記他方のコンセントプラグ７２ａと前記−出力３３３とに生じる電圧が、前記第２ツェナーダイオード３５２に対して逆バイアスとして印加されるように構成されている。また、この第２ツェナーダイオード３５２は、前記第２整流ダイオード３５１と前記制限抵抗３２２と前記各発光ダイオード１２１，１２２，３３２とが直列接続されてなる第２直列回路に並列接続されており、該第２直列回路に印加される電圧の上限値を前記第２ツェナーダイオード３５２によるツェナー電圧によって規制する前記上限電圧規制回路３５３を形成している。
【００６３】
そして、前記両ツェナーダイオード３４２，３５２のツェナー電圧は、同じ値に設定されており、このツェナー電圧は、前記各発光ダイオード１２１，１２２，３３２を同時に点灯できる電圧に設定されている。
【００６４】
以上の構成にかかる本実施の形態において、薬剤瓶３から延出した吸上芯９６を加熱するヒータ１０２と通電時に発光する各発光ダイオード１２１，１２２，３３２とは直列接続されている。このため、使用時に前記ヒータ１０２が切れた際には、前記各発光ダイオード１２１，１２２，３３２への通電回路を遮断することができる。
【００６５】
このため、前記ヒータ１０２が切れ、前記吸上芯９６からの蒸散効率が低下した際には、前記各発光ダイオード１２１，１２２，３３２を消灯することで、蒸散効率が低下したことを報知することができる。
【００６６】
したがって、ヒータ１０２が切れても発光ダイオード１２１，１２２，３３２の発光状態が継続されてしまう従来と比較して、前記薬剤瓶３に芳香液が残存するにも関わらず、芳香効果が低下したといったユーザが抱く違和感を解消することができる。
【００６７】
そして、前記ヒータ１０２は、温度上昇に伴って電気抵抗が増大する一方、温度低下時には、電気抵抗が減少するように構成されており、この電気抵抗の増減を繰り返すことによって、外部温度に依存されること無く、表面温度が一定となるように構成されている。このため、前記ヒータ１０２と前記各発光ダイオード１２１，１２２，３３２とを単純に直列接続した際には、前記各発光ダイオード１２１，１２２，３３２に流れる電流が、前記ヒータ１０２の電気抵抗によって変動することとなる。
【００６８】
しかし、本実施の形態にあっては、前記各発光ダイオード１２１，１２２，３３２に第１及び第２ツェナーダイオード３４２，３５２が並列接続されており、各ツェナーダイオード３４２，３５２に逆電圧が印加されるように構成することで上限電圧規制回路３５３が構成されている。
【００６９】
このため、前記ヒータ１０２の電気抵抗が減少し、前記各ツェナーダイオード３４２，３５２に印加された電圧がツェナー電圧に達した際には、該各ツェナーダイオード３４２，３５２に逆方向電流が流れることによって、前記各発光ダイオード１２１，１２２，３３２の印加電圧が一定に保たれる。
【００７０】
このため、前記ヒータ１０２に流れる電流に応じて前記各発光ダイオード１２１，１２２，３３２に流れる電流が変化し、この電流変化に伴って各発光ダイオード１２１，１２２，３３２の輝度が変化する場合と比較して、前記発光ダイオード１２１，１２２，３３２の輝度を安定させることができる。
【００７１】
このとき、前記各ツェナーダイオード３４２，３５２を介して逆方向電流を流すことができるため、前記ヒータ１０２での通電量を維持することができる。
【００７２】
そして、前記ヒータ１０２の他方の電極１１１ｂとＡＣコンセントに接続される他方のコンセントプラグ７２ｂとの間には、ブリッジ整流回路３１１が形成されており、このブリッジ整流回路３１１で全波整流された直流が前記各発光ダイオード１２１，１２２，３３２に印加されるように構成されている。
【００７３】
このため、当該芳香器１の発光体を、極性を有した前記各発光ダイオード１２１，１２２，３３２で構成することができ、消費電力の削減や長寿命化を図ることができる。
【００７４】
また、このブリッジ整流回路３１１を、前記各整流ダイオード３４１，３５１と前記各ツェナーダイオード３４２，３５２で構成するとともに、当該ブリッジ整流回路３１１で整流した出力が逆バイアスとして印加される当該ブリッジ整流回路３１１のダイオードを前記各ツェナーダイオード３４２，３５２で構成することによって、前記上限電圧規制回路３５３を形成することができる。これにより、当該ブリッジ整流回路３１１からの出力電圧の上限値を前記上限電圧規制回路３５３によって制限することができる。
【００７５】
さらに、交流電源を整流する前記ブリッジ整流回路３１１の他に前記上限電圧規制回路３５３を形成する場合と比較して、部品点数の増加を招くこと無く、前記ブリッジ整流回路３１１と前記上限電圧規制回路３５３とを成立することができる。
【００７６】
そして、前記ブリッジ整流回路３１１に前記各ツェナーダイオード３４２，３５２を設けることによって、半波整流された出力を前記各ツェナーダイオード３４２，３５２に分散して印加することができる。このため、前記ブリッジ整流回路３１１の出力にツェナーダイオードを設け、全波整流された出力を一つのツェナーダイオードに印加する場合と比較して、前記各ツェナーダイオード３４２，３５２での発熱量を抑えることができる。
【００７７】
また、前記各ツェナーダイオード３４２，３５２を小型で安価な低容量タイプとすることができ、回路のシンプル化を図ることができる。
【００７８】
なお、本実施の形態では、芳香器１について説明したが、殺虫剤を拡散させる殺虫剤、防虫剤を拡散させる防虫器、消臭剤を拡散させる消臭器等にも使用できる。
【図面の簡単な説明】
【００７９】
【図１】本発明の一実施の形態を示す斜視図である。
【図２】同実施の形態の分解斜視図である。
【図３】同実施の形態の内部構成体を示す側面図である。
【図４】同実施の形態の内部構成体を示す平面図である。
【図５】同実施の形態の前カバーを示す斜視図である。
【図６】同実施の形態の要部の断面図である。
【図７】同実施の形態の電気回路を示す回路図である。
【図８】同実施の形態のヒータの動作を示す説明図である。
【符号の説明】
【００８０】
１    芳香器
２    芳香器本体
３    薬剤瓶
９６    吸上芯
１０２    ヒータ
１１１    電極
１２１    左発光ダイオード
１２２    右発光ダイオード
３１１    ブリッジ整流回路
３３２    裏発光ダイオード
３４２    第１ツェナーダイオード
３５２    第２ツェナーダイオード
３５３    上限規制回路
【図１】
0004819505.tif 000002
【図２】
0004819505.tif 000003
【図３】
0004819505.tif 000004
【図４】
0004819505.tif 000005
【図５】
0004819505.tif 000006
【図６】
0004819505.tif 000007
【図７】
0004819505.tif 000008
【図８】
0004819505.tif 000009